(57)【要約】【課題】  高所に位置する測定対象の電線に一人作業で容易に装着することが可能なクランプ式電流計を提供する。【解決手段】  地上からの遠隔操作が可能な絶縁操作棒１１０に連結可能な電流計本体５と、電流計本体５に固定した状態で取付けられる固定クランプ部３と、揺動支点軸４１ｄ部を中心として固定クランプ２に対して揺動可能に設けられ自由端部が固定クランプ３の先端部に対して接触可能な揺動クランプ部４と、揺動クランプ部４の固定クランプ３に対する揺動方向の動きをロックするロック機構部８と、を備え、揺動クランプ部４は、絶縁操作棒１００の操作によって外側から電線１１０を押し付けられることにより固定クランプ部３の内側への電線１１０の進入を可能とし、絶縁操作棒１００の操作によって内側から電線１１０を押し付けられることにより固定クランプ部３の外側への電線の退出を可能とする。【選択図】  図１
2014142284.tif 000002
【特許請求の範囲】
【請求項１】
開閉可能なクランプ部によって電線を周方向から包囲し、前記電線を流れる電流を測定するクランプ式電流計であって、
地上からの遠隔操作が可能な絶縁操作棒に連結可能な電流計本体と、
前記クランプ部の一部を構成し、前記電流計本体に固定した状態で取付けられる固定クランプ部と、
前記クランプ部の一部を構成し、揺動支点部を中心として前記固定クランプに対して揺動可能に設けられ、自由端部が前記固定クランプの先端部に対して接触可能な揺動クランプ部と、
前記揺動クランプ部の前記固定クランプに対する揺動方向の動きをロックするロック機構部と、
を備え、
前記揺動クランプ部は、前記絶縁操作棒の操作によって外側から前記電線を押し付けられることによる揺動により前記クランプ部の内側への前記電線の進入を可能とするとともに、前記絶縁操作棒の操作によって内側から前記電線を押し付けられることによる揺動により前記電線の前記クランプ部の内側から外側への退出を可能とし、
前記ロック機構部は、前記固定クランプの前記先端部の先端面と前記揺動クランプ部の前記自由端部の先端面が対向する位置でのみ前記揺動クランプ部の揺動方向の動きをロックするとともに、前記固定クランプの前記先端部の先端面と前記揺動クランプ部の前記自由端部の先端面とを密着させる、
ことを特徴とするクランプ式電流計。
【請求項２】
前記ロック機構部は、前記絶縁操作棒による機械的遠隔操作によりロックおよびアンロックが可能であることを特徴とする請求項１に記載のクランプ式電流計。
【発明の詳細な説明】
【技術分野】
【０００１】
この発明は、クランプ部によって電線を周方向から包囲することで電線を流れる電流を測定するクランプ式電流計に関し、とくに高所に位置する測定対象の電線に一人作業で装着することが可能なクランプ式電流計に関する。
【背景技術】
【０００２】
電気供給事業者の配電線の電流測定には、従来からクランプ式電流計が用いられている。クランプ式電流計を用いた配電線の電流測定は、間接活線作業となるので、例えば絶縁操作棒と呼ばれる間接活線工具およびヤットコと呼ばれる把持工具を用いてクランプ式電流計を地上側から遠隔操作し、測定対象の電線にクランプ式電流計を装着している。
【０００３】
従来からクランプ式電流計を地上側から電線に装着することが可能な開閉道具および開閉アダプタが提案されている（例えば、特許文献１参照。）。特許文献１の技術は、絶縁操作棒の先端部に開閉道具を取付けたもので、開閉道具には、可動クランプ部の内側と接触可能な引掛部と、可動クランプ部の外側を押圧可能な押圧部が形成されている。特許文献１の開閉道具では、クランプ式電流計を電線に装着する際には、開閉道具の引掛部を可動クランプの内側に引掛けた状態で、可動クランプの外側を押圧部で押圧することにより、可動クランプ部を開く方向に揺動させ、クランプ部が開いた状態で電線がクランプ部の内側に来るようにクランプ式電流計を絶縁操作棒によって移動させている。
【先行技術文献】
【特許文献】
【０００４】
【特許文献１】特開２００９−２７０５号公報
【発明の概要】
【発明が解決しようとする課題】
【０００５】
しかし、クランプ式電流計は、開閉可能なクランプ部を有しているので、クランプ部を開いた状態にして電線に装着することになるが、この場合は、クランプ部を絶縁操作棒およびヤットコを介して地上側から遠隔操作によって開かせるという煩雑な操作が必要となり、電線にクランプ式電流計を装着するのに多くの時間を要する。また、クランプ部を絶縁操作棒による遠隔操作で開くことが困難な場合は、作業者が電柱に昇りクランプ式電流計を電線に装着しなければならず、過大な労力を強いられる。
【０００６】
特許文献１の開閉道具によるクランプ式電流計の取付けは、クランプ電流計を保持する絶縁操作棒とクランプ部を開閉する別の絶縁操作棒の二つを同時に操作する必要があり、少なとも複数の作業者が必要となる。また、二つの絶縁操作棒の操作は、異なる作業者がそれぞれ地上側から行うので、高所に位置する電線に対してクランプ式電流計を装着する際の操作の連携が難しく、電線への装着に多くの時間を要する。
【０００７】
そこで本発明は、高所に位置する測定対象の電線に一人作業で容易に装着することが可能なクランプ式電流計を提供することを目的とする。
【課題を解決するための手段】
【０００８】
上記目的を達成するために請求項１に記載の発明は、開閉可能なクランプ部によって電線を周方向から包囲し、前記電線を流れる電流を測定するクランプ式電流計であって、地上からの遠隔操作が可能な絶縁操作棒に連結可能な電流計本体と、前記クランプ部の一部を構成し、前記電流計本体に固定した状態で取付けられる固定クランプ部と、前記クランプ部の一部を構成し、揺動支点部を中心として前記固定クランプに対して揺動可能に設けられ、自由端部が前記固定クランプの先端部に対して接触可能な揺動クランプ部と、前記揺動クランプ部の前記固定クランプに対する揺動方向の動きをロックするロック機構部と、を備え、前記揺動クランプ部は、前記絶縁操作棒の操作によって外側から前記電線を押し付けられることによる揺動により前記クランプ部の内側への前記電線の進入を可能とするとともに、前記絶縁操作棒の操作によって内側から前記電線を押し付けられることによる揺動により前記電線の前記クランプ部の内側から外側への退出を可能とし、前記ロック機構部は、前記固定クランプの前記先端部の先端面と前記揺動クランプ部の前記自由端部の先端面が対向する位置でのみ前記揺動クランプ部の揺動方向の動きをロックするとともに、前記固定クランプの前記先端部の先端面と前記揺動クランプ部の前記自由端部の先端面とを密着させる、ことを特徴とするクランプ式電流計である。
【０００９】
この発明によれば、絶縁操作棒の操作により揺動クランプ部の外側を電線に押し付けた状態では、揺動クランプ部がクランプ部の内側に揺動し、電線のクランプ部の内側への進入が可能となる。また、クランプ部の内側に電線が進入している状態で、絶縁操作棒の操作により揺動クランプ部の内側に電線を押し付けることにより、揺動クランプはクランプ部の外側へ揺動し、電線をクランプ部の外側に退出させることが可能となる。そして、ロック機構部によって揺動クランプ部の揺動方向の動きをロックした状態では、固定クランプ部の先端面と揺動クランプ部の先端面が密着し、クランプ式電流計による電線を流れる電流の測定が可能となる。
【００１０】
請求項２に記載の発明は、請求項１に記載のクランプ式電流計において、前記ロック機構部は、前記絶縁操作棒による機械的遠隔操作によりロックおよびアンロックが可能であることを特徴としている。
【発明の効果】
【００１１】
請求項１に記載の発明によれば、絶縁操作棒の操作によって揺動クランプ部に電線を押し付けることにより、電線をクランプ部の内側に進入させることができるとともに、クランプ部の外側に退出させることができるので、一人作業であっても測定対象の電線にクランプ式電流計を容易に装着することが可能となる。したがって、従来の電流測定に比べて、測定作業の労力が軽減でき、測定時間も短縮することができる。
【００１２】
請求項２に記載の発明によれば、絶縁操作棒による機械的遠隔操作によってロック機構部のロックおよびアンロックが可能であるので、一人作業であっても地上側からロック機構部を容易に操作することができ、電流測定の作業能率を高めることができる。
【図面の簡単な説明】
【００１３】
【図１】本発明の実施の形態に係わるクランプ式電流計の正面図である。
【図２】図１のクランプ式電流計における可動クランプ部がクランプ部の内側へ揺動した状態を示す正面図である。
【図３】図１のクランプ式電流計における可動クランプ部がクランプ部の外側へ揺動した状態を示す正面図である。
【図４】図１のクランプ式電流計における固定クランプ部の先端面の拡大正面図である。
【図５】図１のクランプ式電流計における揺動クランプ部の先端面の拡大正面図である。
【図６】図のクランプ式電流計におけるロック機構部の概要を示す正面図である。
【図７】図１のクランプ式電流計を絶縁操作棒に連結した状態を示す斜視図である。
【発明を実施するための形態】
【００１４】
つぎに、この発明の実施の形態について、図面を用いて詳しく説明する。
【００１５】
図１ないし図７は、本発明の実施の形態を示しており、とくに電力供給事業者における配電線の電流測定に適用した場合を示している。図１ないし図６は、本発明に係るクランプ式電流計１を示している。クランプ式電流計１は、クランプ部２と、電流計本体５と、ロック機構部８を有している。クランプ部２は、電流計本体５に固定される固定クランプ部３と、固定クランプ部３に対して揺動可能な揺動クランプ部４から構成されている。クランプ式電流計１は、開閉可能なクランプ部２によって電線１１０を周方向から包囲することで電線１１０を流れる電流を間接的に測定する機能を有している。配電線の電線１１０に流れる電流は、交流電流が一般的であるが、この実施の形態におけるクランプ式電流計１は、回路の切替え選択により、交流電流および直流電流の双方を測定可能な機能を有している。
【００１６】
固定クランプ部３は、鉄心部３１と絶縁被覆部３２とから構成されている。鉄心部３１は、例えば、磁性特性に優れた薄板鋼板を積層した成層鉄心部および磁気シールド部などから構成されている。鉄心部３１の外面は、一部を除き電気絶縁性を有する樹脂部材からなる絶縁被覆部３２によって覆われている。固定クランプ部３は、図４に示すように、横断面形状が四角形に形成されており、平面形状が略コの字形をした円弧状に形成されている。固定クランプ部３は、鉄心部３１の付け根部３１ａが電流計本体５側に固定されており、鉄心部３１の先端部３１ｂは揺動クランプ部４の自由端部４１ｂと対向可能な部位に位置している。鉄心部３１における先端部３１ｂの先端面３１ｃは、成層鉄心部が露出しており、揺動クランプ４の自由端部４１ｂの先端面４１ｃと接触可能となっている。すなわち、先端面３１ｃは、電流測定時は、揺動クランプ４の先端面４１ｃと密着させる必要があることから、絶縁被覆部３２によって覆われていない。
【００１７】
揺動クランプ部４は、鉄心部４１と絶縁被覆部４２とから構成されている。鉄心部４１は、例えば、磁性特性に優れた薄板鋼板を積層した成層鉄心部などから構成されている。鉄心部４１の外面は、一部を除き電気絶縁性を有する樹脂部材からなる絶縁被覆部４２によって覆われている。揺動クランプ部４は、図５に示すように、横断面形状が四角形に形成されており、平面形状が若干外側に湾曲した形状に形成されている。揺動クランプ部４は、鉄心部４１の支点部４１ａ側に設けられた揺動支点部としての揺動支点軸４１ｃを中心として固定クランプ３に対して揺動可能に支持されている。鉄心部４１の自由端部４１ｂは、固定クランプ部３の先端部３１ｂに対して水平方向に揺動可能となっている。鉄心部４１における先端部４１ｂの先端面４１ｃは、成層鉄心部が露出しており、固定クランプ３の先端部３１ｂの先端面３１ｃと接触可能となっている。すなわち、先端面４１ｃは、電流測定時は、固定クランプ３の先端面３１ｃと密着させる必要があることから、絶縁被覆部４２によって覆われていない。
【００１８】
図２に示すように、揺動クランプ部４は、操作棒１００の操作によって外側から電線１１０を押し付けられることにより、クランプ部２の内側への電線１１０の進入が可能となっている。また、図３に示すように、揺動クランプ部４は、操作棒１００の操作によってクランプ部２の内側から電線１１０を押し付けられることにより、クランプ部２の内側からクランプ部２の外側への退出が可能となっている。揺動クランプ部４は、電線１１０によって押圧されていない状態では、弾性部材６を構成する左右の二つの圧縮コイルスプリング６ａ、６ｂの弱い押圧力によって中立位置に位置している。すなわち、揺動クランプ部４は、電流計本体５の一方の支持部５ｄに支持される圧縮コイルスプリング６ａと、電流計本体５の他方の支持部５ｅに支持される圧縮コイルスプリング６ｂとによって、左右から弱い力でバランスよく押圧されており、電線に押し付けられていない状態では、自由端部４１ｂの先端面４１ｃが固定クランプ部３の先端面３１ｃと対向する中立位置で静止するようになっている。
【００１９】
ロック機構部８は、ロック操作用レバー８ａと、連結機構部８ｂと、可動部８ｃ、ロック用凸部８ｄと、ロック用凹部８ｅとを有している。ロック操作用レバー８ａは、電流計本体５に揺動可能に保持されており、矢印Ｆ１に示すように電流計本体１に対して進退可能となっている。連結機構部８ｂは、ロック操作用レバー８ａと連動しており、操作レバー８ａの動きを可動部８ｃに伝達する機能を有している。可動部８ｃは、連結機構部８ｂと連動し、矢印Ｆ２に示すように揺動クランプ部４の支点部４１ａ側に対して進退可能となっている。可動部８ｃの先端部には、ロック用凸部８ｄが設けられている。ロック用凸部８ｄは、先端にいくにつれて先細りとなる台形状に形成されている。ロック用凹部８ｅは、可動クランプ部４の支点部４１ａ側の端面に形成されており、ロック用凸部８ｄと嵌合可能となっている。
【００２０】
図６に示すように、揺動クランプ部４の支点部４１ａ側には、揺動支点部としての揺動支点軸４１ｄが挿入される長穴４１ｅが形成されている。これにより、揺動クランプ部４は、図６の矢印Ｆ３に示すように、固定クランプ部３に対して進退可能となっている。すなわち、揺動クランプ部４は、長穴４１ｅの形成により、図１の矢印Ａ、Ｂに示すように固定クランプ部３に対して揺動可能であるとともに、図６の矢印Ｆ３に示すように、固定クランプ部３に対して進退可能となっている。
【００２１】
この実施の形態においては、ロック操作レバー８ａを電流計本体５側に押圧することにより、ロック用凸部８ｄがロック用凹部８ｅに進入し、揺動クランプ４の揺動方向の動きをロックするとともに、可動部８ｃによる押圧による揺動クランプ部４の固定クランプ部３側への移動により、揺動クランプ部４の先端面４１ｃが固定クランプ部３の先端面３１ｃと密着するようになっている。また、揺動クランプ部４の動きがロックされた状態で、ロック操作用レバー８ａを電流計本体５側に押圧することにより、連結機構部８ｂの機能によりロックが解除され、ロック用凸部８ｄがロック用凹部８ｅから後退するとともに、揺動クランプ部４の先端面４１ｃは固定クランプ部３の先端面３１ｃから離れるようになっている。
【００２２】
また、揺動クランプ４は、圧縮コイルスプリング６ａ、６ｂによる弱い力で電流計本体５側に引き寄せられており、矢印Ａ、Ｂ方向に揺動する際は先端面４１ｃが固定クランプ３の先端面３１ｃと干渉（接触）しないようになっている。これにより、揺動クランプ４は、矢印Ａ、Ｂ方向のいずれにも弱い力で揺動することが可能となっている。
【００２３】
クランプ式電流計１は、電線１１０を流れる電流による磁界を測定することにより、電気回路を開くことなく、電線１１０を流れる電流を間接的に測定する機能を有している。この実施の形態においては、交流電流と直流電流の双方を測定するために、クランプ部２には、ホール素子と呼ばれる電流検出センサ（図示略）が設けられている。電流計本体５には、測定した電流を表示するための表示部５ａと、交流と直流の切替え操作および測定レンジの切替え操作を行う切替え操作部５ｂが設けられている。クランプ式電流計１は、外部出力端子（図示略）を有しており、外部出力端子に計測用ケーブル（図示略）を接続することにより、地上側でも測定電流を把握することが可能となっている。
【００２４】
図７は、本発明のクランプ式電流計１が連結可能な絶縁操作棒１００を示している。クランプ式電流計１のロック機構部８は、絶縁操作棒１００による機械的遠隔操作によりロックおよびアンロックが可能となっている。絶縁操作棒１００は、連結部１０１、操作棒本体１０４、操作ロッド１０５、ハンドル支持部１０６、操作ハンドル１０７を有している。連結部１０１は、クランプ式電流計１を連結するための連結ケース１０２と、クランプ式電流計１を操作するための押圧アーム１０３とを有している。連結ケース１０２は、外部からクランプ式電流計１に表示される測定電流値の読み取りを可能にするため、例えば透明な合成樹脂から構成されている。連結ケース１０２は、クランプ式電流計１の電流計本体５が収納可能な大きさに形成されており、クランプ式電流計１を適度な摩擦力で保持する機能を有している。押圧アーム１０３の先端部には、図１に示すように、クランプ式電流計１のロック操作用レバー８ａを押圧可能な押圧部１０３ａが形成されている。押圧アーム１０３は、支点部１０１ａを中心として連結ケース１０２に対して揺動可能となっており、連結部１０５ｂを介して連結される操作ロッド１０５の軸方向の動きに連動するようになっている。
【００２５】
操作棒本体１０４は、高い電気絶縁性を有する部材から構成されている。操作棒本体１０４の途中には、付着した水滴などにより電気絶縁性が低下するのを防止するための絶縁傘部１０４ａが設けられている。同様に、操作ロッド１０５の途中にも付着した水滴などにより電気絶縁性が低下するのを防止するための絶縁傘部１０５ａが設けられている。操作ハンドル１０７は、ハンドル支持部１０６を介して操作棒１０４に支持されている。操作ハンドル１０７には、操作ロッド１０５が連結されており、操作ハンドル１０７を操作することにより、押圧アーム１０３が連結ケース１０２に対して揺動（進退）し、クランプ式電流計１のロック機構部８のロック操作用レバー８ａを押圧することが可能となっている。
【００２６】
つぎに、上記のクランプ式電流計１を用いた電線１１０の電流測定の操作手順および作用について説明する。
【００２７】
図７に示すように、配電線の電線１１０を流れる電流を測定する際には、その準備として、地上側で絶縁操作棒１００にクランプ式電流計１を連結することが必要となる。絶縁操作棒１００にクランプ式電流計１を連結するには、絶縁操作棒１００の連結ケース１０２内にクランプ式電流計１の電流計本体５を挿入し、連結ケース１０２の内面と電流計５の外面とを密着させる。この状態では、クランプ式電流計１は、連結ケース１０２との適度な摩擦力をもって絶縁操作棒１００と連結されることになり、容易に絶縁操作棒１００から離脱することが防止される。
【００２８】
絶縁操作棒１００へのクランプ式電流計１の連結が完了すると、絶縁操作棒１００の先端側を電線１１０に向けて起立させ、クランプ式電流計１を電線１１０の近傍に位置させる。つぎに、地上側の作業者による絶縁操作棒１００の操作によって、揺動クランプ部４の外側を電線１１０に押し付ける。この状態では、図２の矢印Ａに示すように、揺動クランプ部４がクランプ部２の内側に揺動し、電線１１０はクランプ部２の内側へ進入可能な状態となる。電線１１０がクランプ部２の内側に完全に進入した状態では、揺動クランプ部４が弾性部材６を構成する二つの圧縮コイルスプリング６ａ、６ｂの付勢力によって、中立位置に戻ることになる。揺動クランプ部４が中立位置に戻った状態では、地上側の作業者によって絶縁操作棒１００の操作ハンドル１０７が操作される。これにより、押圧アーム１０３が保持ケース１０２側に揺動し、ロック機構部８のロック操作用レバー８ａが押圧アーム１０３によって押圧される。
【００２９】
ロック操作用レバー８ａが押圧アーム１０３によって押圧された状態では、図６に示すように、可動部８ｃの上方への移動によりロック用凸部８ｄがロック用凹部８ｅに進入し、揺動クランプ４の揺動方向（矢印Ａおよび矢印Ｂ方向）の動きがロックされる。揺動クランプ部４の揺動方向の動きがロックした状態では、可動部８ｃの押圧力により揺動クランプ部４が上方に移動するので、固定クランプ部３の先端面３１ｃと揺動クランプ部４の先端面４１ｃが密着することになる。この状態では、図１および図７に示すように、電線１１０はクランプ部２によって周方向から包囲されることになり、クランプ式電流計１による電線１１０を流れる電流の測定が可能となる。電線１１０を流れる電流は、電流計本体５に表示部５ａに表示されるほか、電流計本体５に設けられた外部出力端子（図示略）からの出力信号により地上側でも確認することが可能となる。
【００３０】
電線１１０を流れる電流の測定が終了すると、揺動クランプ部４のロックを解除するため、地上側の作業者によって再び絶縁操作棒１００の操作ハンドル１０７が操作される。揺動クランプ部４がロックされた状態で、ロック操作用レバー８ａが押圧アーム１０３によって押圧されると、連結機構部８ｂの機能によりロックが解除され、ロック用凸部８ｄがロック用凹部８ｅから後退するとともに、揺動クランプ部４の先端面４１ｃは固定クランプ部３の先端面３１ｃから離れることになる。
【００３１】
揺動クランプ部４のロックが解除されると、地上側の作業者による絶縁操作棒１００の操作によって、揺動クランプ部４の内側が電線１１０に押し付けられる。この状態では、図３の矢印Ｂに示すように、揺動クランプ部４がクランプ部２の外側に揺動し、電線１１０のクランプ部２の外側への退出が可能となる。電線１１０がクランプ部２の外側に退出した状態では、揺動クランプ部４がコイルスプリング６ａ、６ｂの付勢力によって、中立位置に戻ることになる。この状態では、クランプ部２は、電線１１０を包囲していないので、絶縁操作棒１００の地上側への下降させることが可能となる。
【００３２】
この実施の形態においては、クランプ式電流計１は絶縁操作棒１００と連結した状態で電線１１０を流れる電流を測定するようにしているが、長期間にわたり電線１１０の電流測定が必要な場合は、クランプ式電流計１のみを電線１１０に装着したままとし、絶縁操作棒１００をクランプ式電流計１から離脱させる必要がある。クランプ式電流計１から離脱させる場合は、揺動クランプ４をロックさせた状態で絶縁操作棒１００を強制的に下降させる。これにより、電流計本体５側から連結ケース１０２を引き抜くことができ、クランプ式電流計１のみを電線１１０に装着した状態とすることができる。
【００３３】
このように、絶縁操作棒１００の操作によって揺動クランプ部４に電線１１０を押し付けることにより、電線１１０をクランプ部２の内側に進入させることができるとともに、クランプ部２の外側に退出させることができるので、一人作業であっても測定対象の電線１１０にクランプ式電流計を容易に装着することが可能となる。したがって、従来の電流測定に比べて、測定作業の労力が軽減でき、測定時間も短縮することができる。また、絶縁操作棒１００による機械的遠隔操作によってロック機構部８のロックおよびアンロックが可能であるので、一人作業であっても地上側からロック機構部８を容易に操作することができ、電流測定の作業能率を高めることができる。
【００３４】
さらに、揺動クランプ部４をコイルスプリング６ａ、６ｂの弱い付勢力によって、中立位置に位置させ、しかも揺動クランプ部４の矢印Ａ、Ｂ方向への揺動時には、先端面４１ｃが固定クランプ部３の先端面３１ｃと干渉しないようにしているので、揺動クランプ部４を小さな力で揺動させることが可能となる。これにより、揺動クランプ部４を電線１１０に押し付ける際の力は僅かでよく、電線１１０へのクランプ式電流計１の装着する際の労力を軽減することができる。また、クランプ式電流計１の電線１１０への装着時に電線１１０に作用する力は、電線１１０の強度に対して僅かなものであるので、電線１１０を外力から確実に保護することができる。
【００３５】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、電力供給事業者における配電線の電線１１０の電流測定に適用した場合を説明したが、電線１１０は配電線に限定されることはなく、種々の電気回路における電線の電流測定に適用可能である。また、揺動クランプ４を中立位置に位置決めする弾性部材として、圧縮コイルスプリング６ａ、６ｂを用いたが、弾性部材は圧縮コイルバネに限定されることはなく、引張りコイルバネ、板バネまたはゴムなどその他の弾性部材を用いる構成としてもよい。さらに、この実施の形態においては、ロック機構部８は、絶縁操作棒１００による純機械的手段な遠隔操作によりロックおよびアンロックされる構成としているが、ロック機構部は、ロックおよびアンロックを自動的に行う電磁石やタイマーなど機器類を電流計本体５に内蔵した構成としてもよい。
【符号の説明】
【００３６】
１                クランプ式電流計
２                クランプ部
３                固定クランプ部
３１              鉄心部
３１ｃ            先端面
３２              絶縁被覆部
４                揺動クランプ部
４１              鉄心部
４１ｃ            先端面
４２              絶縁被覆部
５                電流計本体
６                弾性部材
８                ロック機構部
１００            絶縁操作棒
１１０            電線
【図１】
2014142284.tif 000003
【図２】
2014142284.tif 000004
【図３】
2014142284.tif 000005
【図４】
2014142284.tif 000006
【図５】
2014142284.tif 000007
【図６】
2014142284.tif 000008
【図７】
2014142284.tif 000009